【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
撮影条件情報に対応する画像回復フィルタを保持する画像回復フィルタ保持部と、
光学伝達関数情報を保持する光学伝達関数保持部と、
撮影画像の第１の撮影条件情報に対応する第１の画像回復フィルタを生成する画像回復フィルタ生成部と、を有し、
前記画像回復フィルタ生成部は、
前記第１の画像回復フィルタが前記画像回復フィルタ保持部に保持されている場合、該画像回復フィルタ保持部から該第１の画像回復フィルタを選択し、
前記第１の画像回復フィルタが前記画像回復フィルタ保持部に保持されていない場合、前記光学伝達関数情報を用いて該第１の画像回復フィルタを生成し、
前記画像回復フィルタ保持部は、特定の期間に取得された撮影画像の第２の撮影条件情報に対応する第２の画像回復フィルタを前記特定の期間における撮影頻度に応じて保持していることを特徴とする画像処理装置。
【請求項２】
前記画像回復フィルタ生成部は、前記光学伝達関数情報を用いて、前記特定の期間に取得された前記撮影画像の前記第２の撮影条件情報に対応する前記第２の画像回復フィルタを生成することを特徴とする請求項１に記載の画像処理装置。
【請求項３】
前記画像回復フィルタ生成部は、前記光学伝達関数情報を用いて、前記第２の撮影条件情報および入力手段を介して設定された回復量に対応する前記第２の画像回復フィルタを生成することを特徴とする請求項２に記載の画像処理装置。
【請求項４】
前記特定の期間は、一定の期間またはユーザにより設定可能な任意の期間であることを特徴とする請求項１乃至３のいずれか１項に記載の画像処理装置。
【請求項５】
前記画像回復フィルタ保持部は、入力手段を介して設定された第３の撮影条件情報に対応する第３の画像回復フィルタを保持していることを特徴とする請求項１に記載の画像処理装置。
【請求項６】
前記画像回復フィルタ生成部は、前記光学伝達関数情報を用いて、入力手段を介して設定された前記第３の撮影条件情報および回復量に対応する前記第３の画像回復フィルタを生成することを特徴とする請求項５に記載の画像処理装置。
【請求項７】
前記画像回復フィルタ生成部は、入力手段を介して設定された期間ごとに前記画像回復フィルタを自動生成し、
前記画像回復フィルタ保持部は、前記期間ごとに前記画像回復フィルタを更新して保持することを特徴とする請求項１に記載の画像処理装置。
【請求項８】
前記画像回復フィルタを用いて前記撮影画像の画像回復処理を行う画像回復処理部を更に有することを特徴とする請求項１乃至７のいずれか１項に記載の画像処理装置。
【請求項９】
撮像光学系を介して形成された光学像を光電変換して撮影画像を出力する撮像手段と、
撮影条件情報に対応する画像回復フィルタを保持する画像回復フィルタ保持部と、
光学伝達関数情報を保持する光学伝達関数保持部と、
前記撮影画像の第１の撮影条件情報に対応する第１の画像回復フィルタを生成する画像回復フィルタ生成部と、を有し、
前記画像回復フィルタ生成部は、
前記第１の画像回復フィルタが前記画像回復フィルタ保持部に保持されている場合、該画像回復フィルタ保持部から該第１の画像回復フィルタを選択し、
前記第１の画像回復フィルタが前記画像回復フィルタ保持部に保持されていない場合、前記光学伝達関数情報を用いて該第１の画像回復フィルタを生成し、
前記画像回復フィルタ保持部は、特定の期間に取得された撮影画像の第２の撮影条件情報に対応する第２の画像回復フィルタを前記特定の期間における撮影頻度に応じて保持していることを特徴とする撮像装置。
【請求項１０】
撮影画像の第１の撮影条件情報を取得するステップと、
前記第１の撮影条件情報に対応する第１の画像回復フィルタが画像回復フィルタ保持部に保持されているか否かを判定するステップと、
前記第１の画像回復フィルタが前記画像回復フィルタ保持部に保持されている場合、該画像回復フィルタ保持部から該第１の画像回復フィルタを取得するステップと、
前記第１の画像回復フィルタが前記画像回復フィルタ保持部に保持されていない場合、光学伝達関数保持部から光学伝達関数情報を取得し、該光学伝達関数情報を用いて該第１の画像回復フィルタを生成するステップと、を有し、
特定の期間に取得された撮影画像の第２の撮影条件情報に対応する第２の画像回復フィルタを前記特定の期間における撮影頻度に応じて前記画像回復フィルタ保持部に保持させることを特徴とする画像処理方法。
【請求項１１】
撮影画像の第１の撮影条件情報を取得するステップと、
前記第１の撮影条件情報に対応する第１の画像回復フィルタが画像回復フィルタ保持部に保持されているか否かを判定するステップと、
前記第１の画像回復フィルタが前記画像回復フィルタ保持部に保持されている場合、該画像回復フィルタ保持部から該第１の画像回復フィルタを取得するステップと、
前記第１の画像回復フィルタが前記画像回復フィルタ保持部に保持されていない場合、光学伝達関数保持部から光学伝達関数情報を取得し、該光学伝達関数情報を用いて該第１の画像回復フィルタを生成するステップと、を情報処理装置に実行させ、
特定の期間に取得された撮影画像の第２の撮影条件情報に対応する第２の画像回復フィルタを前記特定の期間における撮影頻度に応じて前記画像回復フィルタ保持部に保持させることを特徴とする画像処理プログラム。
【請求項１２】
請求項１１に記載の画像処理プログラムを記憶していることを特徴とする記憶媒体。
【手続補正２】
【補正対象書類名】明細書
【補正対象項目名】０００８
【補正方法】変更
【補正の内容】
【０００８】
本発明の一側面としての画像処理装置は、撮影条件情報に対応する画像回復フィルタを保持する画像回復フィルタ保持部と、光学伝達関数情報を保持する光学伝達関数保持部と、撮影画像の第１の撮影条件情報に対応する第１の画像回復フィルタを生成する画像回復フィルタ生成部とを有し、前記画像回復フィルタ生成部は、前記第１の画像回復フィルタが前記画像回復フィルタ保持部に保持されている場合、該画像回復フィルタ保持部から該第１の画像回復フィルタを選択し、前記第１の画像回復フィルタが前記画像回復フィルタ保持部に保持されていない場合、前記光学伝達関数情報を用いて該第１の画像回復フィルタを生成し、前記画像回復フィルタ保持部は、特定の期間に取得された撮影画像の第２の撮影条件情報に対応する第２の画像回復フィルタを前記特定の期間における撮影頻度に応じて保持していることを特徴としている。
【手続補正３】
【補正対象書類名】明細書
【補正対象項目名】０００９
【補正方法】変更
【補正の内容】
【０００９】
本発明の他の側面としての撮像装置は、撮像光学系を介して形成された光学像を光電変換して撮影画像を出力する撮像手段と、撮影条件情報に対応する画像回復フィルタを保持する画像回復フィルタ保持部と、光学伝達関数情報を保持する光学伝達関数保持部と、前記撮影画像の第１の撮影条件情報に対応する第１の画像回復フィルタを生成する画像回復フィルタ生成部とを有し、前記画像回復フィルタ生成部は、前記第１の画像回復フィルタが前記画像回復フィルタ保持部に保持されている場合、該画像回復フィルタ保持部から該第１の画像回復フィルタを選択し、前記第１の画像回復フィルタが前記画像回復フィルタ保持部に保持されていない場合、前記光学伝達関数情報を用いて該第１の画像回復フィルタを生成し、前記画像回復フィルタ保持部は、特定の期間に取得された撮影画像の第２の撮影条件情報に対応する第２の画像回復フィルタを前記特定の期間における撮影頻度に応じて保持していることを特徴としている。
【手続補正４】
【補正対象書類名】明細書
【補正対象項目名】００１０
【補正方法】変更
【補正の内容】
【００１０】
本発明の他の側面としての画像処理方法は、撮影画像の第１の撮影条件情報を取得するステップと、前記第１の撮影条件情報に対応する第１の画像回復フィルタが画像回復フィルタ保持部に保持されているか否かを判定するステップと、前記第１の画像回復フィルタが前記画像回復フィルタ保持部に保持されている場合、該画像回復フィルタ保持部から該第１の画像回復フィルタを取得するステップと、前記第１の画像回復フィルタが前記画像回復フィルタ保持部に保持されていない場合、光学伝達関数保持部から光学伝達関数情報を取得し、該光学伝達関数情報を用いて該第１の画像回復フィルタを生成するステップとを有し、特定の期間に取得された撮影画像の第２の撮影条件情報に対応する第２の画像回復フィルタを前記特定の期間における撮影頻度に応じて前記画像回復フィルタ保持部に保持させることを特徴としている。
【手続補正５】
【補正対象書類名】明細書
【補正対象項目名】００１１
【補正方法】変更
【補正の内容】
【００１１】
本発明の他の側面としての画像処理プログラムは、撮影画像の第１の撮影条件情報を取得するステップと、前記第１の撮影条件情報に対応する第１の画像回復フィルタが画像回復フィルタ保持部に保持されているか否かを判定するステップと、前記第１の画像回復フィルタが前記画像回復フィルタ保持部に保持されている場合、該画像回復フィルタ保持部から該第１の画像回復フィルタを取得するステップと、前記第１の画像回復フィルタが前記画像回復フィルタ保持部に保持されていない場合、光学伝達関数保持部から光学伝達関数情報を取得し、該光学伝達関数情報を用いて該画像回復フィルタを生成するステップと、を情報処理装置に実行させ、特定の期間に取得された撮影画像の第２の撮影条件情報に対応する第２の画像回復フィルタを前記特定の期間における撮影頻度に応じて前記画像回復フィルタ保持部に保持させることを特徴としている。